(57)【特許請求の範囲】
【請求項１】
水路に対して着脱自在でありかつそれ自体で起立可能なゲート本体の全幅に及ぶ止水用ゴム板をゲート本体の下面に配設するとともに、前記ゲート本体の両側面に、前記ゲート本体の上端から下端に達するロッドを回転自在に配設するとともに、このロッドの上端にロッド操作用のハンドルを連結し、このハンドルの操作によりロッドを回転した場合に水路側壁に圧着する止水用ゴム板を、前記ゲート本体の上下に及ぶように前記ロッドに直接又は間接に連結したことを特徴とする水路の止水装置。
【請求項２】
ゲート本体の両側面に回転自在に配設したロッドの一部に突出板を配設するとともに、この突出板がロッドの回転によって回転する軌跡終端に、前記突出板のストッパーを配設した請求項１記載の水路の止水装置。
【発明の詳細な説明】
【０００１】
【発明の属する技術分野】
この発明は、水路に設置された水門又は水路の近傍に設置されたポンプ等の点検又は修理に際して必要となる前記水門又はポンプ等への止水を行う水路の止水装置に関するものである。
【０００２】
【従来の技術】
水路に設置された水門又は水路の近傍に設置されたポンプ等は経時的な使用により性能的な変化が生じるため、これを定期的に点検又は修理する必要がある。そしてこのためには前記水門又はポンプに至る水を遮断し除去しなければならないのであるが、近年設置された水門又はポンプの上流側直前に、図５に示すように水路Ｌの両側壁に、上下方向の戸溝Ｍを形成し、この戸溝ＭにゲートＧを嵌合せしめることにより行われることが一般的である。したがって同図に示す設備のある場所は特段の問題はない。
【０００３】
そして前記のような戸溝Ｍを予め形成していなかった水路では、図６に示すように、水路Ｌの両側壁に二条のガイド棒Ｂを取り付け、これらのガイド棒Ｂの間にゲートＧを嵌合せしめることも行われている。
【０００４】
一方、前記した戸溝Ｍ及びガイド棒Ｂのいずれもない水路Ｌにあっては、結局のところ前記水門及びポンプ等の点検・修理ははなはだ困難であったり、不可能であることもあった。
【０００５】
【発明が解決しようとする課題】
前記図６に示す二条のガイド棒Ｂを取り付ける止水装置にあっては、次の課題を有していた。すなわち、前記水路Ｌの両側壁面は、本来は垂直に施工されるべきではあるが、完成後の側壁面を観察すると、上下方向に波を打った状態に施工されているケースが多く、この面に対して二条のガイド棒Ｂを配設し、このガイド棒Ｂ間に方形状のゲートＧを挿入しようとすれば、ゲートＧ側面と側壁面間に間隙が生じて止水を果たせないことがあるのみならず、ゲートＧを上方よりガイド棒Ｂに沿って挿入すると水路Ｌの側壁面に不本意ながら形成された凸面が障害となり、ゲートＧの下端が河床に達する前に下降を阻止され、これまた止水を果たせないのであった。
【０００６】
【課題を解決するための手段】
そこでこの発明に係る水路の止水装置（請求項１）は前記の課題を解決するために、水路に対して着脱自在でありかつそれ自体で起立可能なゲート本体の全幅に及ぶ止水用ゴム板をゲート本体の下面に配設するとともに、前記ゲート本体の両側面に、前記ゲート本体の上端から下端に達するロッドを回転自在に配設するとともに、このロッドの上端にロッド操作用のハンドルを連結し、このハンドルの操作によりロッドを回転した場合に水路側壁に圧着する止水用ゴム板を、前記ゲート本体の上下に及ぶように前記ロッドに直接又は間接に連結したものである。
【０００７】
またこの発明に係る水路の止水装置（請求項２）は前記の課題を解決するために、ゲート本体の両側面に回転自在に配設したロッドの一部に突出板を配設するとともに、この突出板がロッドの回転によって回転する軌跡終端に、前記突出板のストッパーを配設したものである。
【０００８】
【作用】
すなわち請求項１に記載したこの発明に係る水路の止水装置にあっては、止水を行う水路に対してゲート本体を徐々に下降せしめると、やがてこのゲート本体の下面が河床に圧着することになるとともに、一方ではハンドルを利用してロッドを回転せしめ、このロッドの回転によって止水用ゴム板を水路の両側壁面に圧着させると、このゲート本体及びゲート本体両側並びにゲート本体下面の止水用ゴム板によって止水することができるのである。
【０００９】
請求項２に記載したこの発明に係る水路の止水装置にあっては、前記の作用に加え、ロッドに固着されている突出板がストッパーに当接することにより止水用ゴム板はそれ以上回転することがなく、より確実な止水を図れる。
【００１０】
【発明の実施の形態】
次にこの発明に係る水路の止水装置の実施の形態を図１乃至図４に基づいて述べると、１はゲート本体であり、このゲート本体１は、水路に対して着脱自在、すなわち水路幅よりも狭く、水路を横断する状態に水路に出し入れすることが可能な形状に形成してあるとともに、このゲート本体１は、それ自体、起立可能に形成してある。
【００１１】
ここにおいてゲート本体１を水路に起立可能とするためには、図１に示すように一部に水を給排可能な出し入れ口（図示せず）を形成した箱状に形成したり、図２に示すように板状に形成し、このゲート本体１の下流側の面に転倒防止の支え板Ｓを形成する等によって実現することができるのみならず、板状に形成したゲート本体１を重機によって吊下支承した状態で起立させることができるのである。尚、図２に示すものは、ゲート本体１及び支え板Ｓのみを示し、以下に述べるロッド等に関する図示を省略してある。
【００１２】
２はこのゲート本体１の両側面３の外面に回転自在に配設したロッドである。このロッド２は前記ゲート本体１の上端から下端に達する長さを有するとともに、このロッド２の上端にはハンドル４を連結してある。
【００１３】
５は前記ロッド２に対して直接又はゴム受け板６を介して間接的に連結した止水用ゴム板であり、この止水用ゴム板５も、ロッド２とほぼ同等の長さに形成されている。またこの止水用ゴム板５は、前記のようにハンドル４の操作によってロッド２を回転させた場合、水路両側壁７に圧着するような幅で形成されているのである。
【００１４】
５’はゲート本体１の下面に配設した止水ゴム板であり、この止水用ゴム板５’は、ゲート本体１の全幅に及ぶように配設してある。
【００１５】
８はゲート本体１の両側面に配設したガイドローラーであり、９は前記水路両側壁７に配設したガイドレールである。このうち、ガイドローラー８は球面加工した表面を有し、ガイドレール９は水路両側壁７の上下方向に配設し、かつ水路の上流側に向けて低くなるテーパー状に形成している。また前記ガイドローラー８は基本的にはゲート本体１の両側面に各１個配設すればよいのであるが、複数個配設してもかまわない。またガイドレール９も水路両側壁７に上下方向に各１列存在すればよいのであるが、複数列配設してもよい。これらはゲート本体１を箱状に形成するか板状に形成するかによって適宜決定すればよい。
【００１６】
１０は前記ロッド２の一部に配設した突出板であり、１１はロッド２近傍のゲート本体１に突設したストッパーである。すなわちストッパー１１はロッド２の回転にともなって回転する突出板１０が当接する位置に配設するものとする。
【００１７】
しかしてゲート本体１を止水せんとする水路に挿入するのであるが、この場合、重機を用いて吊り降ろせばよく、また水路からゲート本体１を除去する場合も、重機を用い吊り上げればよいのである。ゲート本体１を図２に示す板状に形成する場合にあっては、ゲート本体１の自重によって浮力に抗して下降することになるが、ゲート本体１を箱状に形成する場合は、このゲート本体内に、図示しない出し入れ口から水を供給すると、ゲート本体１の自重に水の重量が加わることになるため、浮力に抗して徐々に下降し、やがてゲート本体１は水路の河床に着底するとともに、水を排出するとゲート本体１は徐々に浮上することになるのである。またゲート本体１は止水を行うために用いるものであるため、その必要がない場合は重機等を利用して水路から除去し、必要時にのみ用いればよいのである。
【００１８】
いずれの場合においても、ゲート本体１を水路に挿入するにさきだち、予めハンドル４の操作によってロッド２を回転せしめ、止水用ゴム板５をゲート本体１の側面に近づけておくものとする。
【００１９】
このように着底した場合もゲート本体１の上流側には水が存在するため、ゲート本体１の下流側に押圧される傾向にあるものの、ゲート本体１全体の自重又は箱状に形成したゲート本体１にあってはこのゲート本体１の自重及び内部に収納された水の重量をしてゲート本体１の移動は阻止されるものの、ゲート本体１の下降過程に下流側に移動されることもあり、移動した場合は、ゲート本体１の側面に配設したガイドローラー８がガイドレール９に当接し、それ以上の移動は阻止されることになるのみならず、このガイドレール９は前記のようなレーパー面に形成されているため、このガイドレール９をして水路両側壁７とガイドローラー８間の楔的機能を奏し、かつ前記テーパー面をして水路の中央にゲート本体１を固定せしめることにもなるのである。
【００２０】
そしてハンドル４を操作してロッド２を回転せしめると、これにともなって止水用ゴム板５も回転し、水路両側壁７に圧着する。
【００２１】
このように圧着することによりゲート本体１の両側面の止水が行われるとともに、この段階ではゲート本体１が水路河床に圧着しているため、ゲート本体１の下面に配設した止水用ゴム板５’によってゲート本体１の下面も止水されることになるのである。その他の部分はゲート本体１自体によって止水されるのである。
【００２２】
尚、前記のように止水用ゴム板５を水路両側壁７に圧着させたとしてもこの止水用ゴム板５又は／及びゴム受け板６には上流側から水圧が掛かっているところ、ロッド２に固着されている突出板１０がストッパー１１に当接することにより前記止水用ゴム板５又は／及びゴム受け板６はそれ以上回転することがなく、止水を図ることができるのである。
【００２３】
【発明の効果】
前記のようにこの発明に係る水路の止水装置（請求項１）によれば、水路に対して着脱自在でありかつそれ自体で起立可能なゲート本体の全幅に及ぶ止水用ゴム板をゲート本体の下面に配設するとともに、前記ゲート本体の両側面に、前記ゲート本体の上端から下端に達するロッドを回転自在に配設するとともに、このロッドの上端にロッド操作用のハンドルを連結し、このハンドルの操作によりロッドを回転した場合に水路側壁に圧着する止水用ゴム板を、前記ゲート本体の上下に及ぶように前記ロッドに直接又は間接に連結したので、止水を行う水路にゲート本体を入れ、かつハンドルを利用してロッドを回転せしめ、このロッドの回転によって止水用ゴム板を水路の両側壁面に圧着させると、このゲート本体及びゲート本体両側並びにゲート本体下面の止水用ゴム板によって止水することができる。
、しかもストッパーに対する突出板の当接によって上流側から止水用ゴム板に水圧が掛かったとしても止水用ゴム板のそれ以上の回転を阻止することができ、かつ既存の水路にそのまま使用することができるという効果を有するのである。
【００２４】
またこの発明に係る水路の止水装置（請求項２）によれば、ゲート本体の両側面に回転自在に配設したロッドの一部に突出板を配設するとともに、この突出板がロッドの回転によって回転する軌跡終端に、前記突出板のストッパーを配設したので、ストッパーに対する突出板の当接によって上流側から止水用ゴム板に水圧が掛かったとしても止水用ゴム板のそれ以上の回転を阻止することができるという効果を有するのである。
【図面の簡単な説明】
【図１】  この発明に係る水路の止水装置の一実施例を示す平面図である。
【図２】  （Ａ）はこの発明に係る水路の止水装置に用いるゲート本体を上流側から視た斜視図、（Ｂ）は下流側から視た斜視図である。
【図３】  この発明に係る水路の止水装置の要部を示す平面図である。
【図４】  この発明に係る水路の止水装置の要部を示す底面図である。
【図５】  従来例を示す平面図である。
【図６】  従来例を示す平面図である。
【符号の説明】
１  ゲート本体
２  ロッド
３  ゲート本体の側壁
４  ハンドル
５，５’  止水用ゴム板
６  ゴム受け板
７  水路両側壁
８  ガイドローラー
９  ガイドレール
１０  突出板
１１  ストッパー
Ｓ  支え板
【図１】
0003876394.tif 000002
【図２】
0003876394.tif 000003
【図３】
0003876394.tif 000004
【図４】
0003876394.tif 000005
【図５】
0003876394.tif 000006
【図６】
0003876394.tif 000007